(57)【要約】      （修正有）【課題】ケーブル・タイ・ツールに組み入れられ、このツールによって切断されたケーブル・タイの数の正確な計数値を与えるサイクル・カウンタを提供すること。【解決手段】このサイクル・カウンタは、ケーブル・タイのストラップを切断する刃の移動を検出するセンサを有する。場合によってはこのセンサは、ケーブル・タイ・ツールの部品の状態であって、ツールがケーブル・タイのストラップを切断したことを示す状態を検出する。センサはケーブル・タイのストラップが切断されたことを示す切断信号を発生する。サイクル・カウンタはさらに、切断信号を処理して表示装置への伝達のための追加的信号を発生する合計装置を有する。表示装置はケーブル・タイ・ツールによって切断されたケーブル・タイの合計数を操作者に伝える。表示装置はまた、ケーブル・タイ・ツールによって切断された選択されたケーブル・タイの合計数を操作者に伝える。【選択図】図１
2005280840.tif 000002
【特許請求の範囲】
【請求項１】
ケーブル・タイ・ツールのためのサイクル・カウンタであって、
前記ケーブル・タイ・ツールの中に装着され、ケーブル・タイを切断するための前記ケーブル・タイ・ツールの刃の完全な移動を検出することが可能であり、検出される前記刃の各々の移動を示す切断信号を発生するセンサと、
前記ケーブル・タイ・ツールの中に装着され、前記センサによって作り出された前記切断信号を受信するように前記センサと通信し、前記センサから受信された前記切断信号を加算するための加算装置を有し、前記センサから受信された切断信号の合計数を示す合計信号を発生する合計装置と、
前記ケーブル・タイ・ツール上に装着され、前記合計装置によって作り出された前記合計信号を受信するように前記合計装置と通信し、前記ケーブル・タイ・ツールによって切断されたケーブル・タイの合計数を操作者に伝達するために表示信号を発生する表示装置とを有するサイクル・カウンタ。
【請求項２】
前記合計装置が、
前記センサによって作り出された前記切断信号すべてを受信するように前記センサと通信する累計装置であって、前記センサから受信された前記切断信号すべてを加算するための合計加算装置を有し、前記センサから受信されたすべての切断信号の合計数を示す合計信号を発生する累計装置と、
前記センサによって作り出された前記切断信号のうちの選択された部分を受信するように前記センサと通信する個別合計装置であって、前記センサから受信された前記選択切断信号すべてを加算するための個別加算装置を有し、前記センサから受信された前記選択切断信号の合計数を示す個別信号を発生する個別合計装置と、
前記累計装置および個別合計装置によってそれぞれ作り出された前記合計信号および個別信号を受信するように前記累計装置および個別合計装置と通信する前記表示装置であって、前記ケーブル・タイ・ツールによって切断されたケーブル・タイの合計数を操作者に伝達するために合計表示信号を発生し、前記ケーブル・タイ・ツールによって切断された選択されたケーブル・タイの合計数を前記操作者に伝達するために個別表示信号を発生する表示装置とを有する、請求項１に記載のサイクル・カウンタ。
【請求項３】
前記表示装置が、前記合計表示信号が前記表示装置によって示されているときに制御ボタンの作動が前記表示装置に前記合計表示信号と前記個別表示信号の入れ換えをさせるように前記表示装置に接続された前記制御ボタンを有し、
前記個別表示信号が前記表示装置によって示されているときに前記制御ボタンの作動が前記表示装置に前記個別表示信号と前記合計表示信号の入れ換えをさせる、請求項２に記載のサイクル・カウンタ。
【請求項４】
前記個別合計装置が前記個別加算装置と通信するリセット装置を有し、前記リセット装置が前記個別加算装置によって記録された選択切断信号の合計数を消去することが可能であり、それにより、前記個別合計装置がその後の選択切断信号の数を合計してそれを示す個別信号を発生することが可能となる、請求項２に記載のサイクル・カウンタ。
【請求項５】
前記表示装置が、前記合計表示信号が前記表示装置によって示されているときに制御ボタンの作動が前記表示装置に前記合計表示信号と前記個別表示信号の入れ換えをさせるように前記表示装置に接続された前記制御ボタンを有し、
前記個別表示信号が前記表示装置によって示されているときに前記制御ボタンの作動が前記表示装置に前記個別表示信号と前記合計表示信号の入れ換えをさせ、
前記制御ボタンが、前記リセット装置に接続され、前記個別表示信号が前記表示装置によって示されているときに前記制御ボタンの作動が前記リセット装置に前記個別加算装置によって記録された選択切断信号の合計数を消去させる、請求項４に記載のサイクル・カウンタ。
【請求項６】
前記ケーブル・タイ・ツールが外筒および外筒から垂下するグリップを有し、前記表示装置が前記外筒の後部表面上に装着される、請求項１に記載のサイクル・カウンタ。
【請求項７】
前記個別表示信号が前記表示装置によって示されているとき、選択切断信号の合計数の前記リセット装置による前記消去が特定の方式での前記制御ボタンの前記作動を必要とする、請求項５に記載のサイクル・カウンタ。
【請求項８】
前記特定の方式が最小限の時間的期間に関する前記制御ボタンの押し下げを含む、請求項７に記載のサイクル・カウンタ。
【請求項９】
ケーブル・タイのストラップに張力を加え、その後にストラップを切断するケーブル・タイ・ツールのためのサイクル・カウンタであって、ストラップの切断が結果としてストラップ内の張力の減少につながり、
前記ケーブル・タイ・ツールの中に装着されたセンサであって、ケーブル・タイのストラップ内の張力の減少を検出することが可能であり、検出されるストラップ内の張力の各々の減少を示す切断信号を発生するセンサと、
前記ケーブル・タイ・ツールの中に装着された合計装置であって、前記センサによって作り出された前記切断信号を受信するように前記センサと通信し、前記センサから受信された前記切断信号を加算するための加算装置を有し、前記センサから受信された切断信号の合計数を示す合計信号を発生する合計装置と、
前記ケーブル・タイ・ツールに装着された表示装置であって、前記合計装置によって作り出された前記合計信号を受信するように前記合計装置と通信し、前記ケーブル・タイ・ツールによって切断されたケーブル・タイの合計数を操作者に伝達するための表示信号を発生する表示装置とを有するサイクル・カウンタ。
【請求項１０】
前記合計装置が、
前記センサによって作り出された前記切断信号すべてを受信するように前記センサと通信する累計装置であって、前記センサから受信された前記切断信号すべてを加算するための合計加算装置を有し、前記センサから受信された切断信号すべての合計数を示す合計信号を発生する累計装置と、
前記センサによって作り出された前記切断信号のうちの選択された部分を受信するように前記センサと通信する個別合計装置であって、前記センサから受信された前記選択切断信号のすべてを加算するための個別加算装置を有し、前記センサから受信された前記選択切断信号の合計数を示す個別信号を発生する個別合計装置と、
前記累計装置および個別合計装置によってそれぞれ作り出された前記合計信号および個別信号を受信するように前記累計装置および個別合計装置と通信する前記表示装置であって、前記ケーブル・タイ・ツールによって切断されたケーブル・タイの合計数を操作者に伝達するために合計表示信号を発生し、前記ケーブル・タイ・ツールによって切断された選択されたケーブル・タイの合計数を前記操作者に伝達するために個別表示信号を発生する表示装置とを有する、請求項９に記載のサイクル・カウンタ。
【発明の詳細な説明】
【技術分野】
【０００１】
本発明は、概してケーブル・タイ・ツール用の張力と抗反跳の機構に関し、さらに特定すると、ツールによってケーブル・タイに加えられる張力を制限するため、およびケーブル・タイが切断されるときのツールの反跳を制限するためのそのような機構に関する。
【背景技術】
【０００２】
ケーブル・タイは電線またはケーブルといった物品の集合を束ねて締め付けるために使用される。従来式の構造のケーブル・タイはケーブル・タイ・ヘッドおよびそこから延びる細長のストラップを有する。ストラップは物品の束の周囲に巻かれ、その後、ヘッドの通路を通して挿入される。ケーブル・タイのヘッドは通常、ヘッドの通路の中に延びるロック用素子を担持しており、ストラップが通路を通って挿入されることを可能にするが、ヘッド内の通路を通じたストラップの引き戻しを阻止する。それにより、ストラップの２つの経線方向に分かれた部分がヘッドへと締め付けられることで物品の集合を一体に保持するためのループを規定する。
【０００３】
使用時では、束ねられる物品の周りに取り付け作業者が手作業でタイを設置し、ヘッドの通路を通してストラップを挿入し、その後、手作業で束の周りのタイを締め付ける。ストラップの張力を増大させるさらなるケーブル・タイの締め付けはケーブル・タイ・ツールによって提供されることが可能である。
【０００４】
１つのタイプのそのようなケーブル・タイ・ツールは、概してピストル形状であるハウジングを有し、このハウジングは張力の適用のためにストラップが挿入され得る外筒を有する。ハウジングは外筒から垂下するグリップを有する。
【特許文献１】「Ｔｅｎｓｉｏｎ  ａｎｄ  Ａｎｔｉ−Ｒｅｃｏｉｌ  Ｍｅｃｈａｎｉｓｍ  ｆｏｒ  Ｃａｂｌｅ  Ｔｉｅ  Ｔｏｏｌ」という名称の米国特許仮出願
【特許文献２】米国特許第５，９１５，４２５号
【特許文献３】米国特許出願番号１０／６１４，４３５号
【特許文献４】米国特許出願番号２９／１８５，９８５号
【特許文献５】米国特許出願番号２９／１８５，９８６号
【特許文献６】米国特許仮出願番号６０／５４４，３６１号
【特許文献７】米国特許仮出願番号６０／５４４，３６２号
【特許文献８】米国特許仮出願番号６０／５４４，４７２号
【特許文献９】「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願
【発明の開示】
【発明が解決しようとする課題】
【０００５】
通常、ケーブル・タイ・ツールは新品のとき、およびその後の妥当な使用期間の間で最も効果的である。延長してケーブル・タイ・ツールを使用した後では、その有効性は普通は低下する。そのような低下した有効性は、通常ではケーブル・タイ・ツールの中に支持されてケーブル・タイのストラップを切断するために動かされる刃の品質の低下から結果的に生じる可能性がある。普通、刃の品質のそのような低下は結果としてストラップの切断の品質低下につながる。
【０００６】
延長使用から由来するケーブル・タイ・ツールの有効性低下はまた、ケーブル・タイ・ツールの引き金機構を閉じるために必要とされる力を上げることに結果的につながる。引き金機構は、ケーブル・タイのストラップを切断するように十分に刃を移動させるために引き金機構の閉じ込みが必要とされるように機械的に刃に連結される。引き金機構のそのような閉じ込みは通常、ケーブル・タイ・ツールの引き金機構とグリップを操作者の手の中で握ることによって与えられ、引き金機構をグリップに向けて、可能であればグリップと直接係合するように枢動させるように手が握られるかまたは閉じられる。もしもそのような閉じ込みまたは絞り込みが、低下した刃の品質もしくはその他の要因から結果的に生じる可能性のある引き金機構による大きな抵抗を受ける場合、操作者の手によって加えられる必要のある閉じ込み力は増大する。もしも操作者の手によって与えられる必要のある力が大きければ、操作者の手に手の負担もしくは疲労といった望ましくない結末が結果的に生じる可能性がある。
【０００７】
ケーブル・タイ・ツールの使用量は原則として、ツールによって引っ張られて切断されたケーブル・タイの数によって決まる。特定のケーブル・タイ・ツールによって引っ張られて切断されたケーブル・タイの実際の数は普通ではツール自体から明らかになるわけではない。比較的新しいツールが多数のケーブル・タイを引っ張って切断するために頻繁に使用されていた可能性があるので、特定のケーブル・タイ・ツールの製造の日付けは必ずしもツールの使用量の指標を提供するわけではないであろう。反対に、比較的古いケーブル・タイ・ツールが稀に少数のケーブル・タイを引っ張って切断するために使用されてきた可能性もある。したがって、特定のケーブル・タイ・ツールの実使用量の正確な判定は普通は困難である。通常、特定のケーブル・タイ・ツールによって引っ張られて切断されたケーブル・タイの実際の数の判定は概算によって為されるか、またはまったく為されない。
【課題を解決するための手段】
【０００８】
本発明のサイクル・カウンタはケーブル・タイ・ツールに組み入れられ、このツールによって切断されたケーブル・タイの数の正確な計数値を提供する。このサイクル・カウンタは、ケーブル・タイのストラップを切断するために必要とされるケーブル・タイ・ツールの刃の移動を検出するセンサを有する。場合によってはこのセンサは、ケーブル・タイ・ツールの部品の状態であって、ツールがケーブル・タイのストラップを切断したことを示す状態を検出する。このセンサは、ケーブル・タイのストラップが切断されたことを示す切断信号を発生する。
【０００９】
このサイクル・カウンタは、センサによって作り出された切断信号のすべてを累計装置が受信するようにセンサと通信する累計装置を有する。この累計装置はセンサから受信された切断信号のすべてを加算するための合計加算装置を有する。合計加算装置はセンサから受信されたすべての切断信号の合計数を示す合計信号を発生する。
【００１０】
このサイクル・カウンタはさらに、センサによって作り出された切断信号の選択された部分を個別合計装置が受信するようにセンサと通信する個別合計装置を有する。この個別合計装置はセンサから受信された選択切断信号のすべてを加算するための個別加算装置を有する。個別合計装置はセンサから受信された選択切断信号の合計数を示す個別信号を発生する。
【００１１】
このサイクル・カウンタはさらに、累計装置および個別合計装置からそれぞれ作り出された合計信号および個別信号を表示装置が受信するように累計装置および個別合計装置と通信する表示装置を有する。この表示装置はケーブル・タイ・ツールによって切断されたケーブル・タイの合計数を操作者に伝えるための合計表示信号を発生する。この表示装置はケーブル・タイ・ツールによって切断された選択ケーブル・タイの合計数を操作者に伝えるための個別表示信号を発生する。
【００１２】
表示装置によって作り出された合計表示信号は、ツールによって切断されたケーブル・タイの合計数を示すことによってケーブル・ツールの合計の実際の使用の表示を与える。これは、例えば保証の適用を決定することに有用となることが可能である。合計の実際使用はまた、例えば刃が交換の時期であることを表示することによって保守管理に使用されることも可能である。
【００１３】
表示装置によって作り出される個別表示信号は、特定の時間的期間にツールによって切断されたケーブル・タイの合計数を示すことによってそのような時間的期間にわたるケーブル・ツールの実際の使用の表示を与える。この情報は、操作者の効率を判定するために交替勤務の間に操作者によって切断されたケーブル・タイの数を与え、工場内の生産の管理を補助するので操作者に対して有用となることが可能である。
【００１４】
ケーブル・タイの実際の切断は、普通では切断信号を発生するためのセンサを必要とする。引き金機構の枢動または閉じ込みといったケーブル・タイの切断に付随する可能性のあるケーブル・タイ・ツールの部品の１つまたは複数の動きは、普通では、ケーブル・タイの実際の切断が無いときにセンサに切断信号を発生させることはない。これは合計表示信号および個別表示信号の精度を上げるが、なぜならば普通、それらは実際に切断されたケーブル・タイの数を与えるからである。
【００１５】
本発明のこれら、およびその他の特徴は添付の図面と一体化して為される以下の本発明の特定の実施形態の説明からさらに十分に理解されるであろう。
【発明を実施するための最良の形態】
【００１６】
複数の図面のいくつかの図を通じて対応する参照文字は対応する部品を示す。
図面、特に図１から６を参照すると、ワイヤまたはケーブルといった物品の束に対するストラップ１６およびヘッド１８を有するケーブル・タイ１４の切断を計数するためにサイクル・カウンタ１０がケーブル・タイ・ツール１２に組み入れられて示されている。ケーブル・タイ・ツール１２は外筒２０およびそこから垂下するグリップ２２を有する。ケーブル・タイ・ツール１２は、その前端部に隣接する外筒２０内に配置された切断機構２６へと機械的連接装置によって接続される引き金機構２４を有する。切断機構２６は通常、前端部を通して外筒２０内に挿入されるストラップ１６の一部を切断するために強制的に動かされる刃を有する。
【００１７】
サイクル・カウンタ１０はケーブル・タイ・ツール１２内に装着されたセンサを有する。このセンサはケーブル・タイのストラップを切断するために刃の完全な動きを検出するために刃に連結される。センサは、センサによって検出される刃の各々の動きを示す切断信号を発生する。センサは、刃によって為される特定の切断を感知することでそれに対応する切断信号を発生し、例えば絞り込みによる引き金機構の枢動を感知しないように構成される。
【００１８】
サイクル・カウンタ１０はさらに、ケーブル・タイ・ツールの中に装着された累計装置を有する。この累計装置は、センサによって作り出される切断信号すべてを累計装置が受信するようにセンサと通信する。累計装置はセンサから受信された切断信号すべてを加算するための合計加算装置を有する。合計加算装置は、センサから受信された切断信号すべての合計数を示す合計信号を発生する。この累計装置はマイクロ・スイッチを有することが可能である。ケーブル・タイ・ツール１２によって切断されたストラップ１６の合計数が判定され得るように累計装置はゼロにリセットされることが不可能であることが好ましい。この情報は、特定のケーブル・タイ・ツール１２の実際の使用量を判定することに使用されることが可能である。
【００１９】
サイクル・カウンタ１０はさらに、ケーブル・タイ・ツールの中に装着された個別合計装置を有する。この個別合計装置は、センサによって作り出される切断信号のうちの選択された部分を個別合計装置が受信するようにセンサと通信する。個別合計装置はセンサから受信された選択切断信号すべてを加算するための個別加算装置を有する。個別合計装置は、センサから受信された選択切断信号の合計数を示す個別信号を発生する。この個別合計装置はマイクロ・スイッチを有することが可能である。
【００２０】
この個別合計装置は個別加算装置と通信するリセット装置を有する。このリセット装置は個別加算装置によって記録された選択切断信号の合計数を除去し、それにより、個別合計装置がその後の選択切断信号数を合計してそれを示す個別信号を発生することを可能にする。したがって、個別合計装置はリセット装置によってゼロにリセットされることが可能である。これは、特定の操作者によるケーブル・タイ・ツールの使用時間といった特定の連続した時間的期間に関してケーブル・タイ・ツール１２によって切断されたストラップ１６の合計数を判定することを可能にする。この情報はその操作者によって切断されたケーブル・タイ１４の量、またはケーブル・タイが切断された率を判定することに使用されることが可能である。また、この情報は特定の交替勤務中にケーブル・タイ・ツール１２によって切断されたケーブル・タイ１４の合計数を判定することにも使用されることが可能である。サイクル・カウンタ１０のこの性能はシフト・カウンタと称されることが可能である。
【００２１】
図１に示されるように、サイクル・カウンタ１０は外筒２０の後部に装着された表示装置２９を有する。表示装置２９は、累計装置および個別合計装置によってそれぞれ作り出される合計信号および個別信号を表示装置が受信するように累計装置および個別合計装置と通信する。ケーブル・タイ・ツールによって切断されたケーブル・タイの合計数を使用者に伝えるために表示装置２９は合計表示信号を発生する。ケーブル・タイ・ツールによって切断された選択されたケーブル・タイの合計数を使用者に伝えるために表示装置２９は個別表示信号を発生する。表示装置２９は、例えば最大数６を有することによって合計および個別の表示信号を数字として表示するためのＬＣＤディスプレイ３０を有することが可能である。
【００２２】
表示装置２９は強制的に押し下げることによって作動させられることが可能な制御ボタン３１を有する。場合によっては、制御ボタン３１は感熱性であり、したがって使用者の指による接触によって作動させられることも可能である。制御ボタン３１の作動は表示装置２９に、制御ボタンが作動させられると示される合計表示信号のような表示信号を制御ボタンが作動させられると示されない個別表示信号のような表示信号と入れ換えさせる。これは制御ボタン３１とマイクロコントローラ・チップによるサイクル・カウンタ１０の制御を提供する。制御ボタン３１は、累計装置と個別合計装置の間で切り換えを行うために一時的に押されることによって作動させられることが可能である。
【００２３】
制御ボタン３１はリセット装置にもやはり接続される。表示装置２９が個別表示信号を示しているときに最小限の時間的期間ボタンを押し下げるといった特定の方式での制御ボタンの作動がリセット装置に、個別加算装置によって記録された選択切断信号の合計数を消去させる。例えば連続的に押すことによる制御ボタン３１の作動がサイクル・カウンタ１０をゼロにリセットするであろう。
【００２４】
サイクル・カウンタ１０用の制御論理は図６に示されている。アクチュエータ制御部３３および押しボタン３５はマイクロコントローラ３７に連結される。図６でアクチュエータ制御部３３の隣りにあるものは、センサが（例えばマイクロ・スイッチによって）ケーブル・タイ・ツールの刃の移動、またはツールが（例えば荷重センサによって）ケーブル・タイのストラップを切断したことを示すケーブル・タイ・ツールの部品中の荷重を検出することが可能であるという表示である。また、アクチュエータ制御部３３はケーブル・タイのストラップを切断するためにケーブル・タイ・ツールの刃を移動させる部品から入る信号を受信することも可能である。刃のそのような移動は、ケーブル・タイ・ツールが直立の配向であるときは上向きの方向であることが可能である。押しボタン３５は図４および５の制御ボタン３１に相当する。マイクロコントローラ３７は電源制御部３９によって電力供給され、電源制御部は今度は他方でリチウム電池のような電池４１によって電力供給される。マイクロコントローラ３９はＬＣＤディスプレイ３０を制御するＬＣＤドライバ４３へと連結される。図６に例示された制御論理はサイクル・カウンタ１０の電子制御を提供する。
【００２５】
センサの別の代替選択肢となる実施形態では、センサは切断機構２６の刃の移動の代わりにケーブル・タイのストラップ内の張力を検出することが可能である。そのような荷重感受性センサは切断前のケーブル・タイ１４のストラップ１６内に特定の張力を作り出す装置を伴って使用されることが可能である。そのような装置は本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｄｌｉｎｇを有し、代理人整理番号５７７−６１３で特定される「Ｔｅｎｓｉｏｎ  ａｎｄ  Ａｎｔｉ−Ｒｅｃｏｉｌ  Ｍｅｃｈａｎｉｓｍ  ｆｏｒ  Ｃａｂｌｅ  Ｔｉｅ  Ｔｏｏｌ」という名称の米国特許仮出願に開示されている。荷重感受性であるセンサは、ストラップ１６の切断を示す特定の張力が検出されると切断信号を発生するであろう。
【００２６】
サイクル・カウンタ１０の別の代替選択肢となる実施形態では、機械的カウンタがケーブル・タイ・ツール１２の刃もしくは他の部品に連結されることが可能であり、ストラップ１６が切断されるときにそれが平行移動する。そのような機械的カウンタは複数のケーブル、連接装置、またはその他の部品を必要とする可能性があり、それらのすべてまたはいずれかが機械加工または組み立てを必要とする可能性がある。
【００２７】
ケーブル・タイ・ツール１０ａの別の代替選択肢となる実施形態が図７から１０に示されている。図７から１０はそれぞれ図１から４に対応する図である。図１から４に対応する図７から１０に示された部品類は図１から４と同じ参照番号を有し、図７から１０では添え字「ａ」の追加が伴う。ツール・ヘッド１２ａは図１から４に示されたツール・ヘッド１２と概して同じである。図７から１０に示されたツール・ハンドル１５ａは図７および８に示された引き金機構４５を有する。
【００２８】
１９９９年６月２９日に発行された米国特許第５，９１５，４２５号の全開示は本明細書に参照で組み入れられる。２００３年７月７日に米国特許商標局に提出された米国特許出願番号１０／６１４，４３５号、２００３年７月７日に米国特許商標局に提出された米国特許出願番号２９／１８５，９８５号、および２００３年７月７日に米国特許商標局に提出された米国特許出願番号２９／１８５，９８６号の全開示は各々本明細書に参照で組み入れられる。２００４年２月１３日に米国特許商標局に提出された米国特許仮出願番号６０／５４４，３６１号、２００４年２月１３日に米国特許商標局に提出された米国特許仮出願番号６０／５４４，３６２号、２００４年２月１３日に米国特許商標局に提出された米国特許仮出願番号６０／５４４，４７２号の全開示は各々本明細書に参照で組み入れられる。本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｄｌｉｎｇを有し、代理人整理番号５７７−６０９で特定される「Ｃａｂｌｅ  Ｔｉｅ  Ｔｏｏｌ  Ｈａｖｉｎｇ  Ｍｏｄｕｌａｒ  Ｔｏｏｌ  Ｈｅａｄ」という名称の米国特許出願の全開示は本明細書に参照で組み入れられる。本出願と同じ日付けで米国特許商標局に提出された発明者Ｊｏｅｙ  Ｄ．Ｍａｇｎｏ，Ｊｒ．、Ｊｏｈａｎ  Ｔａｐｐｅｒ、Ａｎｄｅｒｓ  Ｆａｈｌｅｎ、Ｊｏａｋｉｍ  Ｎｏｒｉｎ、Ｇｏｒａｎ  ＰａｕｌｓｓｏｎとＳｖｅｎ  Ｗａｄｌｉｎｇを有し、代理人整理番号５７７−６１３で特定される「Ｔｅｎｓｉｏｎ  ａｎｄ  Ａｎｔｉ−Ｒｅｃｏｉｌ  Ｍｅｃｈａｎｉｓｍ  ｆｏｒ  Ｃａｂｌｅ  Ｔｉｅ  Ｔｏｏｌ」という名称の米国特許出願の全開示は本明細書に参照で組み入れられる。
【００２９】
特定の好ましい実施形態を参照して本発明が述べられてきたが、説明された本発明の概念の精神および範囲の中で数多くの変形例が為され得ることは理解されるはずである。したがって、本発明が開示された実施形態に限定されることなく、添付の特許請求項の文言によって許容される完全な範囲を有することが意図される。
【図面の簡単な説明】
【００３０】
【図１】本発明のサイクル・カウンタを組み入れるケーブル・タイ・ツールを示す背面透視図である。
【図２】図１のサイクル・カウンタを組み入れるケーブル・タイ・ツールの側面図である。
【図３】図２のサイクル・カウンタを組み入れるケーブル・タイ・ツールの平面図である。
【図４】図２のサイクル・カウンタを組み入れるケーブル・タイ・ツールの背面図である。
【図５】図１のサイクル・カウンタの表示パネルを示す拡大図である。
【図６】図１のサイクル・カウンタの部品類を示す概略図である。
【図７】図１のサイクル・カウンタを組み入れるケーブル・タイ・ツールの別の代替選択肢となる第２の実施形態を示す背面透視図である。
【図８】図７のサイクル・カウンタを組み入れるケーブル・タイ・ツールの側面図である。
【図９】図８のサイクル・カウンタを組み入れるケーブル・タイ・ツールの平面図である。
【図１０】図８のサイクル・カウンタを組み入れるケーブル・タイ・ツールの背面図である。
【図１】
2005280840.tif 000003
【図２】
2005280840.tif 000004
【図３】
2005280840.tif 000005
【図４】
2005280840.tif 000006
【図５】
2005280840.tif 000007
【図６】
2005280840.tif 000008
【図７】
2005280840.tif 000009
【図８】
2005280840.tif 000010
【図９】
2005280840.tif 000011
【図１０】
2005280840.tif 000012
【外国語明細書】
2005280840.tif 000013
2005280840.tif 000014
2005280840.tif 000015
2005280840.tif 000016
2005280840.tif 000017
2005280840.tif 000018
2005280840.tif 000019
2005280840.tif 000020
2005280840.tif 000021
2005280840.tif 000022
2005280840.tif 000023
2005280840.tif 000024
2005280840.tif 000025
2005280840.tif 000026
2005280840.tif 000027
2005280840.tif 000028
2005280840.tif 000029
2005280840.tif 000030
2005280840.tif 000031
2005280840.tif 000032
2005280840.tif 000033
2005280840.tif 000034
2005280840.tif 000035
2005280840.tif 000036